(57)【要約】  ドアまたは窓（１２）の取付アセンブリ（１０）、および、ドアまたは窓アセンブリ（５０）が提供される。取付アセンブリ（１０）は、ドアまたは窓（１２）のヒンジ部分を隠すケーシング（１８）を画定するように設けられたわき柱（１６）を備える。支持構造（２０）が、このわき柱（１６）に結合され、ケーシング（１８）内に取付面を提供するように設けられる。【選択図】図１Ａ
2019537679.tif 000002
【特許請求の範囲】
【請求項１】
ドアまたは窓の取付アセンブリであって、
前記ドアまたは前記窓のヒンジ部分を隠すケーシングを画定するように設けられたわき柱と、
前記わき柱に結合され、前記ケーシング内に取付面を形成するように設けられた支持構造と、
を備える、取付アセンブリ。
【請求項２】
前記わき柱が、第１壁と、前記第１壁に隣接する第２壁と、を備え、
前記第１壁が、第１突起を有し、
前記第２壁が、第２突起を有する、
請求項１に記載の取付アセンブリ。
【請求項３】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項２に記載の取付アセンブリ。
【請求項４】
前記支持構造の前記第２支持部材に取り付けられたヒンジをさらに備える、
請求項３に記載の取付アセンブリ。
【請求項５】
前記ヒンジの第１リーフが、前記第２支持部材に対し、前記第１壁の前記平面に平行な方向に取り付けられている、
請求項４に記載の取付アセンブリ。
【請求項６】
前記第１突起の内側遠位角部と前記ヒンジの回転軸との間の距離が、前記ドアまたは前記窓のリーフの第１伸長面の外側遠位角部の、前記ヒンジの前記回転軸を中心とした回転半径よりも大きい、
請求項４に記載の取付アセンブリ。
【請求項７】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ミリメートル（ｍｍ）未満だけ大きい、
請求項６に記載の取付アセンブリ。
【請求項８】
前記第２突起の内側遠位角部と前記ヒンジの回転軸との間の距離が、前記ドアまたは前記窓のリーフの第２伸長面の外側遠位角部の、前記ヒンジの前記回転軸を中心とした回転半径よりも大きい、
請求項４に記載の取付アセンブリ。
【請求項９】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項８に記載の取付アセンブリ。
【請求項１０】
前記第１突起の遠位面と前記第２支持部材の内側面との間の平面の距離が、前記ドアまたは前記窓のリーフの、第１伸長面の厚さよりも大きい、
請求項３に記載の取付アセンブリ。
【請求項１１】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項１０に記載の取付アセンブリ。
【請求項１２】
前記第２突起の遠位面と前記第１支持部材の外側面との間の平面の距離が、前記ドアまたは前記窓のリーフの、第２伸長面の厚さよりも大きい、
請求項３に記載の取付アセンブリ。
【請求項１３】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項１２に記載の取付アセンブリ。
【請求項１４】
ドアまたは窓のヒンジ部分を隠すケーシングを画定するように設けられたわき柱と、
前記わき柱に結合され、前記ケーシング内に取付面を形成するように設けられた支持構造と、
前記支持構造に取り付けられたヒンジと、
前記ヒンジに取り付けられた、前記ドアまたは前記窓のリーフと、
を備える、ドアまたは窓アセンブリ。
【請求項１５】
前記わき柱が、第１壁と、前記第１壁に隣接する第２壁と、を備え、
前記第１壁が、第１突起を有し、
前記第２壁が、第２の突起を有する、
請求項１４に記載のドアまたは窓アセンブリ。
【請求項１６】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項１５に記載のドアまたは窓アセンブリ。
【請求項１７】
前記ヒンジの第１リーフが、前記第２支持部材に対し、前記第１壁の前記平面に平行な方向に取り付けられている、
請求項１６に記載のドアまたは窓アセンブリ。
【請求項１８】
前記ヒンジの第２リーフが、前記ドアまたは前記窓の前記リーフの縁部に取り付けられ、
前記ヒンジのナックルが、前記ドアまたは前記窓の前記リーフの前記縁部に当接する、
請求項１４に記載のドアまたは窓アセンブリ。
【請求項１９】
前記ドアまたは前記窓の前記リーフが、第１伸長面と、前記第１伸長面とは反対側の第２伸長面と、を備え、
前記第１および第２伸長面のそれぞれが、前記ドアまたは前記窓の前記リーフの縁部を越えて延在する、
請求項１４に記載のドアまたは窓アセンブリ。
【請求項２０】
前記第１突起の内側遠位角部と前記ヒンジの回転軸との間の距離が、前記ドアまたは前記窓の前記リーフの前記第１伸長面の外側遠位角部の、前記ヒンジの前記回転軸を中心とした回転半径よりも大きい、
請求項１９に記載のドアまたは窓アセンブリ。
【請求項２１】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ｍｍ未満だけ大きい、
請求項２０に記載のドアまたは窓アセンブリ。
【請求項２２】
前記第２突起の内側遠位角部と前記ヒンジの回転軸との間の距離が、前記ドアまたは前記窓の前記リーフの前記第２伸長面の外側遠位角部の、前記ヒンジの前記回転軸を中心とした回転半径よりも大きい、
請求項１９に記載のドアまたは窓アセンブリ。
【請求項２３】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項２２に記載のドアまたは窓アセンブリ。
【請求項２４】
前記ドアまたは窓の前記リーフが第１位置にある場合に、前記第１伸長面が、前記第１突起の遠位面と前記第２支持部材の内側面との間の第１空間に収められ、前記第２伸長面が、前記第２突起と整列し、
前記ドアまたは窓の前記リーフが第２位置にある場合に、前記第２伸長面が、前記第２突起の遠位面と前記第１支持部材の外側面との間の第２空間に収められ、前記第１伸長面が、前記第１突起と整列する、
請求項１９に記載のドアまたは窓アセンブリ。
【請求項２５】
前記第１突起の前記遠位面と前記第２支持部材の前記内側面との間の平面の距離が、前記ドアまたは前記窓の前記リーフの、前記第１伸長面の厚さよりも大きい、
請求項２４に記載のドアまたは窓アセンブリ。
【請求項２６】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項２５に記載のドアまたは窓アセンブリ。
【請求項２７】
前記第２突起の前記遠位面と前記第１支持部材の前記外側面との間の平面の距離が、前記ドアまたは前記窓の前記リーフの、前記第２伸長面の厚さよりも大きい、
請求項２４に記載のドアまたは窓アセンブリ。
【請求項２８】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項２７に記載のドアまたは窓アセンブリ。
【請求項２９】
前記ヒンジの回転軸が、前記ドアまたは前記窓の前記リーフの中心面に沿うかまたは可及的に近接して位置する、
請求項１９に記載のドアまたは窓アセンブリ。
【請求項３０】
前記第１および第２伸長面の少なくとも一方が、前記ドアまたは前記窓の前記リーフに取外しが可能に取り付けられている、
請求項１９に記載のドアまたは窓アセンブリ。
【請求項３１】
前記第１および第２伸長面の少なくとも一方が、回転の円周に対応する湾曲面を有する、
請求項１９に記載のドアまたは窓アセンブリ。
【発明の詳細な説明】
【技術分野】
【０００１】
本発明は、概して、ドアおよび窓システムに関し、より詳細には、ドアまたは窓のための取付アセンブリ、および、取付アセンブリを用いたドアまたは窓アセンブリに関する。
【背景技術】
【０００２】
慣習的なヒンジを用いた慣習的なドアシステムでは、ドアが開位置にある場合に、ドアのヒンジ部分と、ドアが取り付けられたドアフレームと、の間に、かなりの隙間が存在する。ドアが閉位置に移動する際に指がこの隙間に挟まれていると、怪我をする。よって、そのような怪我を防止することができる、ドアまたは窓の取付アセンブリ、および、ドアまたは窓アセンブリが求められている。
【発明の概要】
【０００３】
したがって、第１態様において、本発明は、ドアまたは窓の取付アセンブリを提供する。取付アセンブリは、ドアまたは窓のヒンジ部分を隠すケーシングを画定するように設けられたわき柱を備える。支持構造が、わき柱に結合され、ケーシング内に取付面を形成するように設けられる。
【０００４】
第２態様において、本発明は、ドアまたは窓のヒンジ部分を隠すケーシングを画定するように設けられたわき柱を備える、ドアまたは窓アセンブリを提供する。支持構造が、わき柱に結合され、ケーシング内に取付面を形成するように設けられる。ヒンジが、支持構造に取り付けられ、ドアまたは窓の可動部（リーフ）が、ヒンジに取り付けられる。
【０００５】
本発明の他の態様および利点は、添付の図面とともに、本発明の原理を例示的に示す以下の詳細な説明から明らかとなる。
【０００６】
本発明の実施形態は、添付の図面を参照して、以下に例示としてのみ記載される。
【図面の簡単な説明】
【０００７】
【図１Ａ】本発明の一実施形態に係る、ドアまたは窓が取り付けられた取付アセンブリの概略破断平面図である。
【図１Ｂ】本発明の一実施形態に係る、ドアまたは窓が取り付けられた取付アセンブリの概略破断平面図である。
【図２Ａ】本発明の一実施形態に係る、ドアまたは窓アセンブリの概略破断斜視図である。
【図２Ｂ】本発明の一実施形態に係る、ドアまたは窓アセンブリの概略破断斜視図である。
【図２Ｃ】本発明の一実施形態に係る、ドアまたは窓アセンブリの概略破断斜視図である。
【図３Ａ】本発明の他の実施形態に係る、ドアまたは窓アセンブリの概略破断平面図である。
【図３Ｂ】本発明の他の実施形態に係る、ドアまたは窓アセンブリの概略破断平面図である。
【図３Ｃ】本発明の他の実施形態に係る、ドアまたは窓アセンブリの概略破断平面図である。
【図４Ａ】本発明のさらに別の実施形態に係る、ドアまたは窓アセンブリの概略破断平面図である。
【図４Ｂ】本発明のさらに別の実施形態に係る、ドアまたは窓アセンブリの概略破断平面図である。
【図４Ｃ】本発明のさらに別の実施形態に係る、ドアまたは窓アセンブリの概略破断平面図である。
【図５Ａ】本発明のさらに別の実施形態に係る、ドアまたは窓アセンブリの概略破断平面図である。
【図５Ｂ】本発明のさらに別の実施形態に係る、ドアまたは窓アセンブリの概略破断平面図である。
【図５Ｃ】本発明のさらに別の実施形態に係る、ドアまたは窓アセンブリの概略破断平面図である。
【図６】本発明の様々な実施形態に係る取付アセンブリの、様々な用途を示す概略破断平面図である。
【図７】本発明の様々な実施形態に係る取付アセンブリの、様々な用途を示す概略破断平面図である。
【図８】本発明の様々な実施形態に係る取付アセンブリの、様々な用途を示す概略破断平面図である。
【図９】本発明の様々な実施形態に係る取付アセンブリの、様々な用途を示す概略破断平面図である。
【図１０Ａ】本発明の一実施形態に係るドアまたは窓アセンブリの用途を示す概略破断平面図である。
【図１０Ｂ】本発明の一実施形態に係るドアまたは窓アセンブリの用途を示す概略破断平面図である。
【発明を実施するための形態】
【０００８】
添付の図面を参照して以下に述べる詳細な説明は、本発明の現時点で好ましい実施形態の説明であることが意図され、本発明が実施される唯一の形態を示すことは意図されていない。本発明の範囲に包含されることが意図されている異なる実施形態により、同一または同等の機能を達成可能であることが理解される。
【０００９】
ここで、図１Ａおよび図１Ｂを参照すると、ドアまたは窓１２が取り付けられた取付アセンブリ１０が示されている。ドアまたは窓１２は、図１Ａでは閉位置で示され、図１Ｂでは開位置で示されている。図示の実施形態では、ドアまたは窓１２の遠位側に止め部１４が設けられて、ドアまたは窓１２の回転を規制する。
【００１０】
取付アセンブリ１０は、ドアまたは窓１２のヒンジ部分を隠し、格納しおよび／または収容するケーシング１８を画定するように設けられたわき柱１６を備える。支持構造２０が、わき柱１６に結合され、ケーシング１８内に取付面を形成するように設けられている。
【００１１】
本実施形態のわき柱１６は、第１壁２２と、この第１壁２２に隣接する第２壁２４と、を備え、第１壁２２は、第１突起２６を有し、第２壁２４は、第２突起２８を有する。第１および第２突起２６、２８は、ドアまたは窓１２が開位置か閉位置かにある場合、さらに、ドアまたは窓１２が開位置と閉位置との間で回動している場合に、取付アセンブリ１０とドアまたは窓１２との間に存在する隙間を狭める役割を果たす。
【００１２】
本実施形態の支持構造２０は、わき柱１６の第１壁２２から、わき柱１６の第２壁２４の平面に平行な方向に延びる第１支持部材３０と、第１支持部材３０から、わき柱１６の第１壁２２の平面に平行な方向に延びる第２支持部材３２と、を備える。
【００１３】
本実施形態では、ヒンジ３４が、支持構造２０の第２支持部材３２に取り付けられている。図示の実施形態では、ヒンジ３４の第１リーフ３６が、第２支持部材３２に対し、第１壁２２の平面に平行な方向に取り付けられている。これにより、ドアまたは窓１２が閉位置にある場合に、ヒンジ３４は開位置にあり、ドアまたは窓１２が開位置にある場合に、ヒンジ３４は閉位置にある。これは、ヒンジ３４の耐久性を高めるとともに、寿命を延長させるという利点がある。なぜならば、開位置において、ドアまたは窓１２は、何らかの構造により提供される支持もなく、自由に動く状態にある。よって、この位置で、ヒンジ３４に対して最も大きな力がかかる。その一方で、閉位置では、ドアまたは窓１２のための複数の支持源（例えば、ドアロックのボルトおよびラッチ、または、ドアフレームのシールの形態をとる）が存在し、これらが、ヒンジ３４から力が分散するのを助けるからである。したがって、ドアまたは窓１２が開位置にある場合は、ヒンジ３４を閉位置とし、ドアまたは窓１２が閉位置にある場合は、ヒンジ３４を開位置とするのが好ましい。
【００１４】
取付アセンブリ１０は、独立のドアフレームとして機能することが可能である。これに代え、取付アセンブリ１０は、既存のドアフレームに取り付けられ、そのドアフレームの付属要素となり得る。
【００１５】
ここで、図２Ａから図２Ｃを参照すると、ドアまたは窓アセンブリ５０が示されている。ドアまたは窓アセンブリ５０は、図２Ａでは第１位置、図２Ｂでは中間位置、図２Ｃでは第２位置にある状態で示されている。
【００１６】
ドアまたは窓アセンブリ５０は、ドアまたは窓５６のヒンジ部分を隠し、格納しおよび／または収容するケーシング５４を画定するように設けられたわき柱５２を備える。支持構造５８が、わき柱５２に結合され、ケーシング５４内に取付面を形成するように設けられている。ヒンジ６０が、支持構造５８に取り付けられ、ドアまたは窓５６のリーフ６２が、ヒンジ６０に取り付けられている。
【００１７】
本実施形態のわき柱５２は、第１壁６４と、この第１壁６４に隣接する第２壁６６と、備え、第１壁６４は、第１突起６８を有し、第２壁６６は、第２突起７０を有する。
【００１８】
本実施形態の支持構造５８は、わき柱５２の第１壁６４から、わき柱５２の第２壁６６の平面に平行な方向に延びる第１支持部材７２と、第１支持部材７２から、わき柱５２の第１壁６４の平面に平行な方向に延びる第２支持部材７４と、を備える。
【００１９】
本実施形態では、ヒンジ６０の第１リーフ７６が、第２支持部材７４に対し、第１壁６４の平面に平行な方向に取り付けられている。図示の実施形態では、ヒンジ６０の第２リーフ（図示せず）が、ドアまたは窓５６のリーフ６２の縁部７８に取り付けられ、ヒンジ６０のナックル８０が、ドアまたは窓５６のリーフ６２の縁部７８に当接する。
【００２０】
本実施形態のドアまたは窓５６のリーフ６２は、第１伸長面８２と、この第１伸長面８２とは反対側の第２伸長面８４と、を有し、第１および第２伸長面８２、８４のそれぞれは、ドアまたは窓５６のリーフ６２の縁部７８を越えて延在する。
【００２１】
図２Ａから分かるように、ドアまたは窓５６のリーフ６２が第１位置にある場合に、本実施形態の第１伸長面８２は、第１突起６８の遠位面８６と第２支持部材７４の内側面８８との間の第１空間に収められ、第２伸長面８４が、第２突起７０と整列する。
【００２２】
同様に、図２Ｃから分かるように、ドアまたは窓５６のリーフ６２が第２位置にある場合に、第２伸長面８４は、第２突起７０の遠位面９０と第１支持部材７２の外側面９２との間の第２空間に収められ、第１伸長面８２が、第１突起６８と整列する。
【００２３】
第１および第２伸長面８２、８４は、ドアまたは窓５６のリーフ６２の一部か、付属要素かであり得る。図示の実施形態では、第２伸長面８４は、ドアまたは窓５６のリーフに取外しが可能に取り付けられている。これは、図示のクリップ式システムまたは他の知られた固定手段の使用によるものであり得る。外部から取外しが可能な少なくとも１つの伸長面を設けることにより、ドアまたは窓アセンブリ５０の設置が容易となるばかりでなく、ドアまたは窓アセンブリ５０の将来におけるメンテナンス作業の実施が容易にもなるという利点が得られる。ドアまたは窓アセンブリ５０の審美的な印象を向上させるため、第１および第２伸長面８２、８４は、ドアまたは窓５６のリーフ６２に対し、目に見えるいかなるネジをも用いないで固定されるのが好ましく、わき柱５２およびドアまたは窓５６のリーフ６２と同一または類似の材料および／または色のものであって、視覚的な一貫性を提供することが可能である。
【００２４】
わき柱５２とドアまたは窓５６のリーフ６２との間の隙間は、第１および第２突起６８、７０をわき柱５２に設けることと、ドアまたは窓５６のリーフ６２の第１および第２伸長面８２、８４を設けることと、により狭められる。図２Ａおよび図２Ｃから分かるように、第１および第２位置では、わき柱５２の第１および第２突起６８、７０と、ドアまたは窓５６のリーフ６２の第１および第２伸長面８２、８４と、の間に、最小限の隙間が存在するのみである。図２Ｂに示される回転中、第１および第２伸長面８２、８４は、わき柱５２の内側で円を描くように、ドアまたは窓５６のリーフ６２の回転に伴って移動する。回転中、ドアまたは窓５６のリーフ６２の両側には、指の幅よりも小さな最小の隙間が露出される。これにより、回転中のドアまたは窓に潰されることによる指の怪我を、ドアまたは窓アセンブリ５０によりなくすことが可能である。
【００２５】
さらに、図２Ａから図２Ｃから分かるように、ドアまたは窓アセンブリ５０のヒンジ６０と、ヒンジ６０に用いられているネジ（図示せず）とは、ドアまたは窓５６のリーフ６２のいずれの方向からも隠され、ドアまたは窓アセンブリ５０の全体的な審美性が改善されている。ドアまたは窓アセンブリ５０により、目に見えて目障りないかなるヒンジまたは枢動点も、ドアまたは窓アセンブリ５０の内側および外側の一方にも両方にも存在することがなくなる。よって、ヒンジ６０には、ドアまたは窓アセンブリ５０の外観に影響を及ぼすことなく、必要な任意の色または材料を用いることが可能である。ドアまたは窓アセンブリ５０に設けられることになる、あらゆる配線、または、センサおよびアラーム等の追加要素もまた同様に隠されることが、更なる利点である。
【００２６】
ここで、図３Ａから図３Ｃを参照すると、ドアまたは窓アセンブリ１００の他の実施形態が示されている。ドアまたは窓アセンブリ１００は、図３Ａでは第１位置、図３Ｂでは中間位置、図３Ｃでは第２位置にある状態で示されている。
【００２７】
ドアまたは窓アセンブリ１００は、ドアまたは窓１０６のヒンジ部分を隠し、格納しおよび／または収容するケーシング１０４を画定するように設けられたわき柱１０２を備える。支持構造１０８が、わき柱１０２に結合され、ケーシング１０４内に取付面を形成するように設けられている。ヒンジ１１０が、支持構造１０８に取り付けられ、ドアまたは窓１０６のリーフ１１２が、ヒンジ１１０に取り付けられている。
【００２８】
本実施形態のわき柱１０２は、第１壁１１４と、この第１壁１１４に隣接する第２壁１１６と、を備え、第１壁１１４は、第１突起１１８を有し、第２壁１１６は、第２突起１２０を有する。
【００２９】
本実施形態の支持構造１０８は、わき柱１０２の第１壁１１４から、わき柱１０２の第２壁１１６の平面に平行な方向に延びる第１支持部材１２２と、第１支持部材１２２から、わき柱１０２の第１壁１１４の平面に平行な方向に延びる第２支持部材１２４と、を備える。
【００３０】
本実施形態では、ヒンジ１１０の第１リーフ１２６は、第２支持部材１２４に対し、第１壁１１４の平面に平行な方向に取り付けられている。図示の実施形態では、ヒンジ１１０の第２リーフ１２８は、ドアまたは窓１０６のリーフ１１２の縁部１３０に取り付けられ、ヒンジ１１０のナックル１３２が、ドアまたは窓１０６のリーフ１１２の縁部１３０に当接する。
【００３１】
本実施形態のドアまたは窓１０６のリーフ１１２は、第１伸長面１３４と、この第１伸長面１３４とは反対側の第２伸長面１３６と、を備え、第１および第２伸長面１３４、１３６のそれぞれは、ドアまたは窓１０６のリーフ１１２の縁部１３０を越えて延在する。
【００３２】
図３Ａから分かるように、ドアまたは窓１０６のリーフ１１２が第１位置にある場合に、本実施形態の第１伸長面１３４は、第１突起１１８の遠位面１３８と第２支持部材１２４の内側面１４０との間の第１空間に収められ、第２伸長面１３６が、第２突起１２０と整列する。
【００３３】
同様に、図３Ｃから分かるように、ドアまたは窓１０６のリーフ１１２が第２位置にある場合に、第２伸長面１３６は、第２突起１２０の遠位面１４２と第１支持部材１２２の外側面１４４との間の第２空間に収められ、第１伸長面１３４が、第１突起１１８と整列する。
【００３４】
本実施形態は、第１および第２伸長面１３４、１３６のいずれもが、それらの回転の各円周に対応する湾曲面を有する点で、先の実施形態とは相違する。図３Ｂから分かるように、湾曲面には、ドアまたは窓１０６のリーフ１１２が第１および第２位置の間で回動する際に、ドアまたは窓１０６のリーフ１１２とわき柱１０２との間の隙間をさらに狭めるという利点がある。本実施形態では、第１および第２伸長面１３４、１３６の双方が湾曲させて示されているが、当業者であれば、本発明が第１および第２伸長面の双方を湾曲させるものに限定されないことが理解される。代替の実施形態では、第１および第２伸長面の一方のみが、回転の円周に対応する湾曲面を有してもよい。
【００３５】
図３Ａから図３Ｃから分かるように、第１突起１１８の内側遠位角部１４６とヒンジ１１０の回転軸１４８との間の距離Ｄ1は、ドアまたは窓１０６のリーフ１１２の第１伸長面１３４の外側遠位角部１５０の、ヒンジ１１０の回転軸１４８を中心とした回転半径Ｒ1よりも大きく、第２突起１２０の内側遠位角部１５２とヒンジ１１０の回転軸１４８との間の距離Ｄ2は、ドアまたは窓１０６のリーフ１１２の第２伸長面１３６の外側遠位角部１５４の、ヒンジ１１０の回転軸１４８を中心とした回転半径Ｒ2よりも大きい。一実施形態では、第１突起１１８の内側遠位角部１４６とヒンジ１１０の回転軸１４８との間の距離Ｄ1が、ドアまたは窓１０６のリーフ１１２の第１伸長面１３４の外側遠位角部１５０の、ヒンジ１１０の回転軸１４８を中心とした回転半径Ｒ1よりも、１０ミリメートル（ｍｍ）未満だけ大きくてよい。同じかまたは異なる実施形態では、第２突起１２０の内側遠位角部１５２とヒンジ１１０の回転軸１４８との間の距離Ｄ2が、ドアまたは窓１０６のリーフ１１２の第２伸長面１３６の外側遠位角部１５４の、ヒンジ１１０の回転軸１４８を中心とした回転半径Ｒ2よりも、１０ｍｍ未満だけ大きくてよい。
【００３６】
ここで、図４Ａから図４Ｃを参照すると、ドアまたは窓アセンブリ１００の他の実施形態が示されている。ドアまたは窓アセンブリ１００は、図４Ａでは第１位置、図４Ｂでは中間位置、図４Ｃでは第２位置にある状態で示されている。
【００３７】
図４Ａから図４Ｃに示される実施形態は、第２支持部材１２４に対するヒンジ１１０の配置において、先の実施形態とは相違する。より詳細には、ヒンジ１１０の第１リーフ１２６が、第２支持部材１２４に対し、第２壁１１６の平面に平行な方向に取り付けられている。
【００３８】
他の相違は、ドアまたは窓１０６のリーフ１１２の第１および第２伸長面１３４、１３６が、本実施形態ではいずれも湾曲していない点である。
【００３９】
図示の実施形態では、第１突起１１８の遠位面１３８と第２支持部材１２４の内側面１４０との間の平面の距離Ｄ3が、ドアまたは窓１０６のリーフ１１２の第１伸長面１３４の厚さＴ1よりも大きい。さらに、図示の実施形態では、第２突起１２０の遠位面１４２と第１支持部材１２２の外側面１４４との間の平面の距離Ｄ4が、ドアまたは窓１０６のリーフ１１２の第２伸長面１３６の厚さＴ2以上である。一実施形態では、第１突起１１８の遠位面１３８と第２支持部材１２４の内側面１４０との間の平面の距離Ｄ3が、ドアまたは窓１０６のリーフ１１２の第１伸長面１３４の厚さＴ1よりも、１０ｍｍ未満だけ大きくてよい。同じかまたは異なる実施形態では、第２突起１２０の遠位面１４２と第１支持部材１２２の外側面１４４との間の平面の距離Ｄ4が、ドアまたは窓１０６のリーフ１１２の第２伸長面１３６の厚さＴ2よりも、１０ｍｍ未満だけ大きくてよい。
【００４０】
ここで、図５Ａから図５Ｃを参照すると、ドアまたは窓アセンブリ１００のさらに別の実施形態が示されている。ドアまたは窓アセンブリ１００は、図５Ａでは第１位置、図５Ｂでは中間位置、図５Ｃでは第２位置にある状態で示されている。
【００４１】
図５Ａから図５Ｃに示す実施形態は、第２壁１１６に対する第１壁１１４の配置において、先の前実施形態とは相違する。
【００４２】
他の相違は、第２伸長面の取外しが可能である先の実施形態とは異なり、本実施形態では、第１伸長面１３４が、ドアまたは窓１０６のリーフ１１２に取外しが可能に取り付けられる点である。
【００４３】
本実施形態では、取外しが可能な１つ（１）の伸長面を有するものとして示されているが、当業者であれば、本発明が、第１および第２伸長面の１つ（１）を、ドアまたは窓のリーフに取外しが可能に取り付けることに限定されないことが理解される。代替の実施形態では、第１および第２伸長面のいずれもが、ドアまたは窓のリーフに取外しが可能に取り付けられていてもよいし、取り付けられていなくてもよい。外部から取外しが可能な少なくとも１つの伸長面を設けることで、ドアまたは窓アセンブリ１００の設置が容易になるとともに、ドアまたは窓アセンブリ１００の将来におけるメンテナンス作業の実施も容易になるという利点が得られる。
【００４４】
記載された実施形態では、ヒンジ１１０の回転軸１４８は、ドアまたは窓１０６のリーフ１１２の中心面１５６に沿うかまたは可能な限り近くに置かれる。ヒンジ１１０の回転軸１４８がドアまたは窓１０６のリーフ１１２の中心面１５６に沿うかまたは可能な限り近くに置かれる態様で、ヒンジ１１０が固定される場合は、ヒンジ１１０にかかる応力が低減され、ドアまたは窓１０６の揺動半径が最小限に抑えられるという利点が得られる。
【００４５】
ここで、図１Ａおよび図１Ｂに示されるような、単一パネルの揺動式のドアまたは窓から離れ、図６から図９を参照すると、取付アセンブリ１０は、様々な他のタイプのドアまたは窓を取り付けるのにも使用され、これらの幾つかの例が、図６から図９に示されている。より詳細には、図６は、取付アセンブリ１０に取り付けられた、二重パネルの折畳式のドアまたは窓２００を示し、図７は、取付アセンブリ１０に取り付けられた、複数パネルの折畳式のドアまたは窓２０２を示し、図８は、取付アセンブリ１０に取り付けられた、二重パネルの摺動および枢動式のドアまたは窓２０４を示し、図９は、取付アセンブリ１０に取り付けられた、三重（３）パネルの摺動および折畳式のドアまたは窓２０６を示している。
【００４６】
ここで、図１０Ａおよび図１０Ｂを参照して、取付アセンブリ１０の用途を説明する。図示の実施形態では、取付アセンブリ１０は、２つのフレームが設置された（２５２）洗面所２５０に採用されている。ドア２５４が、取付アセンブリ１０に取り付けられ、ドア２５４が洗面所２５０全体への進入を妨げるのに用いられる、図１０Ａに示される第１位置と、ドア２５４が洗面所２５０の一区画２５６への進入を妨げるのに用いられる、図１０Ｂに示される第２位置と、の間で移動可能である。第１位置にある場合は、ドア２５４により、洗面所２５０のトイレおよび洗い場の双方に対するプライバシーを保証し、第２位置にある場合は、ドア２５４により、洗面所２５０のトイレに対するプライバシーを保証しながら、他者が洗面所２５０の洗い場を使用することを可能にする。第２の別のドアを設置することを必要とせず、２箇所（２）でのドアの開口に単一のドア２５０を用いることを可能とすることにおいて、取付アセンブリ１０により与えられる柔軟性は、空間の節約とともに、費用の削減をも生じさせる。
【００４７】
さらに、第１および第２位置の双方において、取付アセンブリ１０のヒンジ３０が洗面所２５４の使用者から完全に隠されているので、整った外観を提供し、洗面所２５４の全体的な外観を向上させるという利点も得られる。
【００４８】
以上の説明から明らかなように、本発明により、ドアまたは窓が回転することから指が受ける怪我を低減することの可能な、取付アセンブリ、および、ドアまたは窓アセンブリが提供される。さらに、本発明により、改善された審美性と、より耐久性の高いヒンジシステムと、を有するドアまたは窓アセンブリが提供されるという利点も得られる。
【００４９】
本発明の好ましい実施形態が図示されるとともに、説明されたが、本発明がこれらの実施形態のみに限定されるものではないことは、明らかである。特許請求の範囲に記載の本発明の範囲から逸脱することなく、多様な修正例、変形例、変更例、代替例および均等物が、当業者にとって明らかとなる。
【００５０】
さらに、特に文脈が明らかにそうではない解釈を要求しない限り、明細書および特許請求の範囲全体を通じて、「備える（ｃｏｍｐｒｉｓｅ）」、「備える（ｃｏｍｐｒｉｓｉｎｇ）」等の用語は、排他的または徹底した意味ではなく、包括的な意味で解釈されるものであり、つまり、「含むが、それに限定されない（ｉｎｃｌｕｄｉｎｇ，ｂｕｔ  ｎｏｔ  ｌｉｍｉｔｅｄ  ｔｏ）」の意味で解釈される。
【図１Ａ】
2019537679.tif 000003
【図１Ｂ】
2019537679.tif 000004
【図２Ａ】
2019537679.tif 000005
【図２Ｂ】
2019537679.tif 000006
【図２Ｃ】
2019537679.tif 000007
【図３Ａ】
2019537679.tif 000008
【図３Ｂ】
2019537679.tif 000009
【図３Ｃ】
2019537679.tif 000010
【図４Ａ】
2019537679.tif 000011
【図４Ｂ】
2019537679.tif 000012
【図４Ｃ】
2019537679.tif 000013
【図５Ａ】
2019537679.tif 000014
【図５Ｂ】
2019537679.tif 000015
【図５Ｃ】
2019537679.tif 000016
【図６】
2019537679.tif 000017
【図７】
2019537679.tif 000018
【図８】
2019537679.tif 000019
【図９】
2019537679.tif 000020
【図１０Ａ】
2019537679.tif 000021
【図１０Ｂ】
2019537679.tif 000022
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ドアまたは窓の取付アセンブリであって、
前記ドアまたは前記窓のヒンジ部分を開位置と閉位置との双方で隠すケーシングを画定するように設けられたわき柱と、
前記わき柱に結合され、前記ケーシング内に取付面を形成するように設けられた支持構造と、
を備える、取付アセンブリ。
【請求項２】
前記わき柱が、第１壁と、前記第１壁に隣接する第２壁と、を備え、
前記第１壁が、第１突起を有し、
前記第２壁が、第２突起を有する、
請求項１に記載の取付アセンブリ。
【請求項３】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項２に記載の取付アセンブリ。
【請求項４】
前記支持構造の前記第２支持部材に取り付けられたヒンジをさらに備える、
請求項３に記載の取付アセンブリ。
【請求項５】
前記ヒンジの第１リーフが、前記第２支持部材に対し、前記第１壁の前記平面に平行な方向に取り付けられている、
請求項４に記載の取付アセンブリ。
【請求項６】
前記第１突起の内側遠位角部と前記ヒンジの回転軸との間の距離が、前記ドアまたは前記窓のリーフの第１伸長面の外側遠位角部の、前記ヒンジの前記回転軸を中心とした回転半径よりも大きい、
請求項４に記載の取付アセンブリ。
【請求項７】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ミリメートル（ｍｍ）未満だけ大きい、
請求項６に記載の取付アセンブリ。
【請求項８】
前記第２突起の内側遠位角部と前記ヒンジの回転軸との間の距離が、前記ドアまたは前記窓のリーフの第２伸長面の外側遠位角部の、前記ヒンジの前記回転軸を中心とした回転半径よりも大きい、
請求項４に記載の取付アセンブリ。
【請求項９】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項８に記載の取付アセンブリ。
【請求項１０】
前記第１突起の遠位面と前記第２支持部材の内側面との間の平面の距離が、前記ドアまたは前記窓のリーフの、第１伸長面の厚さよりも大きい、
請求項３に記載の取付アセンブリ。
【請求項１１】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項１０に記載の取付アセンブリ。
【請求項１２】
前記第２突起の遠位面と前記第１支持部材の外側面との間の平面の距離が、前記ドアまたは前記窓のリーフの、第２伸長面の厚さよりも大きい、
請求項３に記載の取付アセンブリ。
【請求項１３】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項１２に記載の取付アセンブリ。
【請求項１４】
ドアまたは窓のヒンジ部分を開位置と閉位置との双方で隠すケーシングを画定するように設けられたわき柱と、
前記わき柱に結合され、前記ケーシング内に取付面を形成するように設けられた支持構造と、
前記支持構造に取り付けられたヒンジと、
前記ヒンジに取り付けられた、前記ドアまたは前記窓のリーフと、
を備える、ドアまたは窓アセンブリ。
【請求項１５】
前記わき柱が、第１壁と、前記第１壁に隣接する第２壁と、を備え、
前記第１壁が、第１突起を有し、
前記第２壁が、第２の突起を有する、
請求項１４に記載のドアまたは窓アセンブリ。
【請求項１６】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項１５に記載のドアまたは窓アセンブリ。
【請求項１７】
前記ヒンジの第１リーフが、前記第２支持部材に対し、前記第１壁の前記平面に平行な方向に取り付けられている、
請求項１６に記載のドアまたは窓アセンブリ。
【請求項１８】
前記ヒンジの第２リーフが、前記ドアまたは前記窓の前記リーフの縁部に取り付けられ、
前記ヒンジのナックルが、前記ドアまたは前記窓の前記リーフの前記縁部に当接する、
請求項１４に記載のドアまたは窓アセンブリ。
【請求項１９】
前記ドアまたは前記窓の前記リーフが、第１伸長面と、前記第１伸長面とは反対側の第２伸長面と、を備え、
前記第１および第２伸長面のそれぞれが、前記ドアまたは前記窓の前記リーフの縁部を越えて延在する、
請求項１４に記載のドアまたは窓アセンブリ。
【請求項２０】
前記第１突起の内側遠位角部と前記ヒンジの回転軸との間の距離が、前記ドアまたは前記窓の前記リーフの前記第１伸長面の外側遠位角部の、前記ヒンジの前記回転軸を中心とした回転半径よりも大きい、
請求項１９に記載のドアまたは窓アセンブリ。
【請求項２１】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ｍｍ未満だけ大きい、
請求項２０に記載のドアまたは窓アセンブリ。
【請求項２２】
前記第２突起の内側遠位角部と前記ヒンジの回転軸との間の距離が、前記ドアまたは前記窓の前記リーフの前記第２伸長面の外側遠位角部の、前記ヒンジの前記回転軸を中心とした回転半径よりも大きい、
請求項１９に記載のドアまたは窓アセンブリ。
【請求項２３】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項２２に記載のドアまたは窓アセンブリ。
【請求項２４】
前記ドアまたは窓の前記リーフが第１位置にある場合に、前記第１伸長面が、前記第１突起の遠位面と前記第２支持部材の内側面との間の第１空間に収められ、前記第２伸長面が、前記第２突起と整列し、
前記ドアまたは窓の前記リーフが第２位置にある場合に、前記第２伸長面が、前記第２突起の遠位面と前記第１支持部材の外側面との間の第２空間に収められ、前記第１伸長面が、前記第１突起と整列する、
請求項１９に記載のドアまたは窓アセンブリ。
【請求項２５】
前記第１突起の前記遠位面と前記第２支持部材の前記内側面との間の平面の距離が、前記ドアまたは前記窓の前記リーフの、前記第１伸長面の厚さよりも大きい、
請求項２４に記載のドアまたは窓アセンブリ。
【請求項２６】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項２５に記載のドアまたは窓アセンブリ。
【請求項２７】
前記第２突起の前記遠位面と前記第１支持部材の前記外側面との間の平面の距離が、前記ドアまたは前記窓の前記リーフの、前記第２伸長面の厚さよりも大きい、
請求項２４に記載のドアまたは窓アセンブリ。
【請求項２８】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項２７に記載のドアまたは窓アセンブリ。
【請求項２９】
前記ヒンジの回転軸が、前記ドアまたは前記窓の前記リーフの中心面に沿うかまたは可及的に近接して位置する、
請求項１９に記載のドアまたは窓アセンブリ。
【請求項３０】
前記第１および第２伸長面の少なくとも一方が、前記ドアまたは前記窓の前記リーフに取外しが可能に取り付けられている、
請求項１９に記載のドアまたは窓アセンブリ。
【請求項３１】
前記第１および第２伸長面の少なくとも一方が、回転の円周に対応する湾曲面を有する、
請求項１９に記載のドアまたは窓アセンブリ。
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
ドアまたは窓の取付アセンブリであって、
前記ドアまたは前記窓のヒンジ部分を開位置と閉位置との双方で隠すケーシングを画定するように設けられたわき柱と、
前記わき柱に結合され、前記ケーシング内に取付面を形成するように設けられた支持構造と、
を備える、取付アセンブリ。
【請求項２】
前記わき柱が、第１壁と、前記第１壁に隣接する第２壁と、を備え、
前記第１壁が、第１突起を有し、
前記第２壁が、第２突起を有する、
請求項１に記載の取付アセンブリ。
【請求項３】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項２に記載の取付アセンブリ。
【請求項４】
前記支持構造の前記第２支持部材に取り付けられたヒンジをさらに備える、
請求項３に記載の取付アセンブリ。
【請求項５】
前記ヒンジの第１リーフが、前記第２支持部材に対し、前記第１壁の前記平面に平行な方向に取り付けられている、
請求項４に記載の取付アセンブリ。
【請求項６】
前記第１突起の内側遠位角部と前記ヒンジの回転軸との間の距離が、前記ドアまたは前記窓のリーフの第１伸長面の外側遠位角部の、前記ヒンジの前記回転軸を中心とした回転半径よりも大きい、
請求項４に記載の取付アセンブリ。
【請求項７】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ミリメートル（ｍｍ）未満だけ大きい、
請求項６に記載の取付アセンブリ。
【請求項８】
前記第２突起の内側遠位角部と前記ヒンジの回転軸との間の距離が、前記ドアまたは前記窓のリーフの第２伸長面の外側遠位角部の、前記ヒンジの前記回転軸を中心とした回転半径よりも大きい、
請求項４に記載の取付アセンブリ。
【請求項９】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項８に記載の取付アセンブリ。
【請求項１０】
前記第１突起の遠位面と前記第２支持部材の内側面との間の平面の距離が、前記ドアまたは前記窓のリーフの、第１伸長面の厚さよりも大きい、
請求項３に記載の取付アセンブリ。
【請求項１１】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項１０に記載の取付アセンブリ。
【請求項１２】
前記第２突起の遠位面と前記第１支持部材の外側面との間の平面の距離が、前記ドアまたは前記窓のリーフの、第２伸長面の厚さよりも大きい、
請求項３に記載の取付アセンブリ。
【請求項１３】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項１２に記載の取付アセンブリ。
【請求項１４】
ドアまたは窓のヒンジ部分を開位置と閉位置との双方で隠すケーシングを画定するように設けられたわき柱と、
前記わき柱に結合され、前記ケーシング内に取付面を形成するように設けられた支持構造と、
前記支持構造に取り付けられたヒンジと、
前記ヒンジに取り付けられた、前記ドアまたは前記窓のリーフと、
を備える、ドアまたは窓アセンブリ。
【請求項１５】
前記わき柱が、第１壁と、前記第１壁に隣接する第２壁と、を備え、
前記第１壁が、第１突起を有し、
前記第２壁が、第２の突起を有する、
請求項１４に記載のドアまたは窓アセンブリ。
【請求項１６】
前記支持構造が、
前記わき柱の前記第１壁から、前記わき柱の前記第２壁の平面に平行な方向に延びる第１支持部材と、
前記第１支持部材から、前記わき柱の前記第１壁の平面に平行な方向に延びる第２支持部材と、
を備える、請求項１５に記載のドアまたは窓アセンブリ。
【請求項１７】
前記ヒンジの第１リーフが、前記第２支持部材に対し、前記第１壁の前記平面に平行な方向に取り付けられている、
請求項１６に記載のドアまたは窓アセンブリ。
【請求項１８】
前記ヒンジの第２リーフが、前記ドアまたは前記窓の前記リーフの縁部に取り付けられ、
前記ヒンジのナックルが、前記ドアまたは前記窓の前記リーフの前記縁部に当接する、
請求項１４に記載のドアまたは窓アセンブリ。
【請求項１９】
前記ドアまたは前記窓の前記リーフが、第１伸長面と、前記第１伸長面とは反対側の第２伸長面と、を備え、
前記第１および第２伸長面のそれぞれが、前記ドアまたは前記窓の前記リーフの縁部を越えて延在する、
請求項１６に記載のドアまたは窓アセンブリ。
【請求項２０】
前記第１突起の内側遠位角部と前記ヒンジの回転軸との間の距離が、前記ドアまたは前記窓の前記リーフの前記第１伸長面の外側遠位角部の、前記ヒンジの前記回転軸を中心とした回転半径よりも大きい、
請求項１９に記載のドアまたは窓アセンブリ。
【請求項２１】
前記第１突起の前記内側遠位角部と前記ヒンジの前記回転軸との間の前記距離が、前記ドアまたは前記窓の前記リーフの前記第１伸長面の前記外側遠位角部の、前記ヒンジの前記回転軸を中心とした前記回転半径よりも、１０ｍｍ未満だけ大きい、
請求項２０に記載のドアまたは窓アセンブリ。
【請求項２２】
前記第２突起の内側遠位角部と前記ヒンジの回転軸との間の距離が、前記ドアまたは前記窓の前記リーフの前記第２伸長面の外側遠位角部の、前記ヒンジの前記回転軸を中心とした回転半径よりも大きい、
請求項１９に記載のドアまたは窓アセンブリ。
【請求項２３】
前記第２突起の前記内側遠位角部と前記ヒンジの前記回転軸との間の前記距離が、前記ドアまたは前記窓の前記リーフの前記第２伸長面の前記外側遠位角部の、前記ヒンジの前記回転軸を中心とした前記回転半径よりも、１０ｍｍ未満だけ大きい、
請求項２２に記載のドアまたは窓アセンブリ。
【請求項２４】
前記ドアまたは窓の前記リーフが第１位置にある場合に、前記第１伸長面が、前記第１突起の遠位面と前記第２支持部材の内側面との間の第１空間に収められ、前記第２伸長面が、前記第２突起と整列し、
前記ドアまたは窓の前記リーフが第２位置にある場合に、前記第２伸長面が、前記第２突起の遠位面と前記第１支持部材の外側面との間の第２空間に収められ、前記第１伸長面が、前記第１突起と整列する、
請求項１９に記載のドアまたは窓アセンブリ。
【請求項２５】
前記第１突起の前記遠位面と前記第２支持部材の前記内側面との間の平面の距離が、前記ドアまたは前記窓の前記リーフの、前記第１伸長面の厚さよりも大きい、
請求項２４に記載のドアまたは窓アセンブリ。
【請求項２６】
前記第１突起の前記遠位面と前記第２支持部材の前記内側面との間の前記平面の距離が、前記ドアまたは前記窓の前記リーフの、前記第１伸長面の前記厚さよりも、１０ｍｍ未満だけ大きい、
請求項２５に記載のドアまたは窓アセンブリ。
【請求項２７】
前記第２突起の前記遠位面と前記第１支持部材の前記外側面との間の平面の距離が、前記ドアまたは前記窓の前記リーフの、前記第２伸長面の厚さよりも大きい、
請求項２４に記載のドアまたは窓アセンブリ。
【請求項２８】
前記第２突起の前記遠位面と前記第１支持部材の前記外側面との間の前記平面の距離が、前記ドアまたは前記窓の前記リーフの、前記第２伸長面の前記厚さよりも、１０ｍｍ未満だけ大きい、
請求項２７に記載のドアまたは窓アセンブリ。
【請求項２９】
前記ヒンジの回転軸が、前記ドアまたは前記窓の前記リーフの中心面に沿うかまたは可及的に近接して位置する、
請求項１９に記載のドアまたは窓アセンブリ。
【請求項３０】
前記第１および第２伸長面の少なくとも一方が、前記ドアまたは前記窓の前記リーフに取外しが可能に取り付けられている、
請求項１９に記載のドアまたは窓アセンブリ。
【請求項３１】
前記第１および第２伸長面の少なくとも一方が、回転の円周に対応する湾曲面を有する、
請求項１９に記載のドアまたは窓アセンブリ。
【国際調査報告】
2019537679.tif 000023
2019537679.tif 000024